(57)【要約】【課題】生成したレプリカを除去することでマルチパス分割を行う受信装置において、良好な受信特性を得ること。【解決手段】合成部ｂ１０５は、受信信号を初回信号として初回情報記憶部ｂ１０６に記憶し、入力された信号から合成信号を生成する。信号選択部ｂ１０７は、初回信号及び合成信号の受信品質を示す受信品質情報を算出し、算出した受信品質情報に基づいて、初回情報記憶部ｂ１０６が記憶する初回信号、又は合成信号のいずれかの信号を、周波数帯域毎に選択する。復調部ｂ１０９は、信号選択部ｂ１０７が選択した信号を復調する。【選択図】図４
2010278850.tif 000002
【特許請求の範囲】
【請求項１】
抽出した変調シンボルに基づいて受信信号のレプリカを生成し、予め定めた時間帯毎に当該時間帯以外の受信信号のレプリカを受信信号から除去し、前記レプリカを除去した信号を前記時間帯各々の伝搬路状況を示す情報に基づいて合成し、合成した結果の合成信号を復調することをくり返して、送信データを抽出する受信装置において、
受信信号を初回信号として初回情報記憶部に記憶し、入力された信号から前記合成信号を生成する合成部と、
前記初回信号及び前記合成信号の受信品質を示す受信品質情報を算出し、算出した受信品質情報に基づいて、前記初回情報記憶部が記憶する初回信号、又は前記合成信号のいずれかの信号を、周波数帯域毎に選択する信号選択部と、
前記信号選択部が選択した信号を復調する復調部と、
を備えることを特徴とする受信装置。
【請求項２】
前記信号選択部は、前記初回信号又は前記合成信号のうち、前記算出した受信品質情報が受信品質が高いことを示す信号を選択することを特徴とする請求項１に記載の受信装置。
【請求項３】
前記受信品質情報は、信号対雑音電力比であることを特徴とする請求項２に記載の受信装置。
【請求項４】
前記周波数帯域は、サブキャリアであることを特徴とする請求項１に記載の受信装置。
【請求項５】
前記周波数帯域は、複数のサブキャリアであることを特徴とする請求項１に記載の受信装置。
【請求項６】
前記受信装置は、前記時間帯の分割を複数種類行い、
前記信号選択部は、種類毎に受信品質情報を算出し、前記算出した受信品質情報に基づいて、全ての種類の初回信号と前記合成信号とのうち１つの合成信号を、周波数帯域毎に選択することを特徴とする請求項１に記載の受信装置。
【請求項７】
抽出した変調シンボルに基づいて受信信号のレプリカを生成し、予め定めた時間帯毎に当該時間帯以外の受信信号のレプリカを受信信号から除去し、前記レプリカを除去した信号を前記時間帯各々の伝搬路状況を示す情報に基づいて合成し、合成した結果の合成信号を復調することをくり返して、送信データを抽出する受信装置における受信方法において、
前記受信装置が、受信信号を初回信号として初回情報記憶部に記憶し、入力された信号から前記合成信号を生成する第１の過程と、
前記受信装置が、前記初回信号及び前記合成信号の受信品質を示す受信品質情報を算出し、算出した受信品質情報に基づいて、前記初回情報記憶部が記憶する初回信号、又は前記合成信号のいずれかの信号を、周波数帯域毎に選択する第２の過程と、
前記受信装置が、前記第２の過程にて選択した信号を復調する第３の過程と、
を有することを特徴とする受信方法。
【請求項８】
抽出した変調シンボルに基づいて受信信号のレプリカを生成し、予め定めた時間帯毎に当該時間帯以外の受信信号のレプリカを受信信号から除去し、前記レプリカを除去した信号を前記時間帯各々の伝搬路状況を示す情報に基づいて合成し、合成した結果の合成信号を復調することをくり返して、送信データを抽出する受信装置のコンピュータを、
受信信号を初回信号として初回情報記憶部に記憶し、入力された信号から前記合成信号を生成する合成手段、
前記初回信号及び前記合成信号の受信品質を示す受信品質情報を算出し、算出した受信品質情報に基づいて、前記初回情報記憶部が記憶する初回信号、又は前記合成信号のいずれかの信号を、周波数帯域毎に選択する信号選択手段、
前記信号選択手段にて選択した信号を復調する復調手段、
として機能させる受信プログラム。
【発明の詳細な説明】
【技術分野】
【０００１】
本発明は、受信装置、受信方法、及び受信プログラムに関する。
【背景技術】
【０００２】
無線通信においては、特に広帯域伝送の場合、信号が先行して到達するパス（伝搬路）に加え、建物や山などの反射物からの反射を経由する等して、信号が遅延して到来するパスが存在する。この場合、先行して到達するパスの信号（先行信号という）と、遅延して到来するパスの信号（遅延信号という）と、の間ではシンボル間干渉（ＩＳＩ：Ｉｎｔｅｒ  Ｓｙｍｂｏｌ  Ｉｎｔｅｒｆｅｒｅｎｃｅ；ＩＳＩ）が発生する。このように複数のパスを介して信号が到来する環境をマルチパス環境という。
ＩＳＩの発生を防止するため、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＭＣ−ＣＤＭ（Ｍｕｌｔｉ  Ｃａｒｒｉｅｒ−Ｃｏｄｅ  Ｄｉｖｉｓｉｏｎ  Ｍｕｌｔｉｐｌｅｘｉｎｇ）などのマルチキャリア伝送では、ガードインターバル（ＧＩ：Ｇｕａｒｄ  Ｉｎｔｅｒｖａｌ）を付加することが知られている。これにより、先行信号と遅延信号との受信時刻の差（遅延時間という）がＧＩの長さ以内であればＩＳＩの発生を防止することができる。
さらに、遅延時間がＧＩの長さを超える場合は、ＩＳＩに加え、ＦＦＴ（高速フーリエ変換：Ｆａｓｔ  Ｆｏｕｒｉｅｒ  Ｔｒａｎｓｆｏｒｍ）の周期性が崩れるためにキャリア間干渉（ＩＣＩ：Ｉｎｔｅｒ  Ｃａｒｒｉｅｒ  Ｉｎｔｅｒｆｅｒｅｎｃｅ）も生じる。ＩＳＩやＩＣＩは受信性能を大幅に劣化させる。
【０００３】
非特許文献１には、マルチパス分割ターボ等化（ＭＤ−ＴＥ：Ｍｕｌｔｉｐａｔｈ  Ｄｉｖｉｓｉｏｎ  Ｔｕｒｂｏ  Ｅｑｕａｌｉｚａｔｉｏｎ）について記載されている。この技術は、ＩＳＩやＩＣＩが生じる場合であっても良好な受信特性を得ることができる技術である。具体的に、非特許文献１の技術は、誤り訂正復号結果のビット対数尤度比（ＬＬＲ：Ｌｏｇ  Ｌｉｋｅｌｉｈｏｏｄ  Ｒａｔｉｏ）から遅延パスのレプリカを生成し、生成したレプリカを受信信号から除去することでマルチパスを分割する。また、非特許文献１の技術は、受信信号をＩＳＩおよびＩＣＩが抑圧された複数のブロックに分割し、各ブロックの信号を合成するものである。これにより、非特許文献１の技術では、パスダイバーシチ効果を得ることができる。
【先行技術文献】
【非特許文献】
【０００４】
【非特許文献１】K. Shimezawa、T. Yoshimoto、R. Yamada、N. Okamoto、「A novel SC/MMSE turbo equalization for multicarrier systems with insufficient cyclic prefix」、PIMRC. 2008、2008年12月
【発明の概要】
【発明が解決しようとする課題】
【０００５】
ところで、非特許文献１の技術では、遅延時間が大きくＩＳＩやＩＣＩが大きい場合は、干渉抑圧効果が大きいため、受信特性の改善効果も大きくなる。
しかしながら、非特許文献１の技術では、生成したレプリカを除去することでマルチパス分割を行うため、除去残差による分割誤差が生じる。よって、遅延パスの遅延時間が小さくＩＳＩやＩＣＩが比較的小さい場合は、干渉抑圧効果が小さくなるため、分割誤差による劣化が顕著になり、受信特性がほとんど改善しないという問題があった。
【０００６】
本発明は上記の点に鑑みてなされたものであり、その目的は、遅延の大小に関わらず、良好な受信特性を得ることができる受信装置、受信方法、及び受信プログラムを提供することにある。
【課題を解決するための手段】
【０００７】
（１）本発明は上記の課題を解決するためになされたものであり、本発明は、抽出した変調シンボルに基づいて受信信号のレプリカを生成し、予め定めた時間帯毎に当該時間帯以外の受信信号のレプリカを受信信号から除去し、前記レプリカを除去した信号を前記時間帯各々の伝搬路状況を示す情報に基づいて合成し、合成した結果の合成信号を復調することをくり返して、送信データを抽出する受信装置において、受信信号を初回信号として初回情報記憶部に記憶し、入力された信号から前記合成信号を生成する合成部と、前記初回信号及び前記合成信号の受信品質を示す受信品質情報を算出し、算出した受信品質情報に基づいて、前記初回情報記憶部が記憶する初回信号、又は前記合成信号のいずれかの信号を、周波数帯域毎に選択する信号選択部と、前記信号選択部が選択した信号を復調する復調部と、を備えることを特徴とする受信装置である。
上記構成によると、前記受信装置は、受信品質情報に基づいて、前記初回情報記憶部が記憶する初回信号、又は前記合成信号のいずれかの信号を、周波数帯域毎に選択し、選択した信号を復調する。これにより、前記受信装置は、前記合成信号の受信品質が低く除去残差が大きくなる場合、当該合成信号より受信品質が高い初回信号を復調した変調シンボルを用いて、精度が高いレプリカを生成することができ、このレプリカを用いた復調での誤り率を低減して、良好な受信特性を得ることができる。
【０００８】
（２）また、本発明は、上記の受信装置において、前記信号選択部は、前記初回信号又は前記合成信号のうち、前記算出した受信品質情報が受信品質が高いことを示す信号を選択することを特徴とする。
【０００９】
（３）また、本発明は、上記の受信装置において、前記受信品質情報は、信号対雑音電力比であることを特徴とする。
【００１０】
（４）また、本発明は、上記の受信装置において、前記周波数帯域は、サブキャリアであることを特徴とする。
【００１１】
（５）また、本発明は、上記の受信装置において、前記周波数帯域は、複数のサブキャリアであることを特徴とする。
【００１２】
（６）また、本発明は、上記の受信装置において、前記受信装置は、前記時間帯の分割を複数種類行い、前記信号選択部は、種類毎に受信品質情報を算出し、前記算出した受信品質情報に基づいて、全ての種類の初回信号と前記合成信号とのうち１つの合成信号を、周波数帯域毎に選択することを特徴とする。
上記構成によると、前記受信装置は、受信品質が高い分割の種類についての合成信号を復調した変調シンボルを用いて、精度が高いレプリカを生成することができ、１種類の分割で合成信号を選択する場合と比較して、さらに、誤り率を低減して、良好な受信特性を得ることができる。
【００１３】
（７）また、本発明は、抽出した変調シンボルに基づいて受信信号のレプリカを生成し、予め定めた時間帯毎に当該時間帯以外の受信信号のレプリカを受信信号から除去し、前記レプリカを除去した信号を前記時間帯各々の伝搬路状況を示す情報に基づいて合成し、合成した結果の合成信号を復調することをくり返して、送信データを抽出する受信装置における受信方法において、前記受信装置が、受信信号を初回信号として初回情報記憶部に記憶し、入力された信号から前記合成信号を生成する第１の過程と、前記受信装置が、前記初回信号及び前記合成信号の受信品質を示す受信品質情報を算出し、算出した受信品質情報に基づいて、前記初回情報記憶部が記憶する初回信号、又は前記合成信号のいずれかの信号を、周波数帯域毎に選択する第２の過程と、前記受信装置が、前記第２の過程にて選択した信号を復調する第３の過程と、を有することを特徴とする受信方法である。
【００１４】
（８）また、本発明は、抽出した変調シンボルに基づいて受信信号のレプリカを生成し、予め定めた時間帯毎に当該時間帯以外の受信信号のレプリカを受信信号から除去し、前記レプリカを除去した信号を前記時間帯各々の伝搬路状況を示す情報に基づいて合成し、合成した結果の合成信号を復調することをくり返して、送信データを抽出する受信装置のコンピュータを、受信信号を初回信号として初回情報記憶部に記憶し、入力された信号から前記合成信号を生成する合成手段、前記初回信号及び前記合成信号の受信品質を示す受信品質情報を算出し、算出した受信品質情報に基づいて、前記初回情報記憶部が記憶する初回信号、又は前記合成信号のいずれかの信号を、周波数帯域毎に選択する信号選択手段、前記信号選択手段にて選択した信号を復調する復調手段、として機能させる受信プログラムである。
【発明の効果】
【００１５】
本発明によれば、受信装置は、精度が高いレプリカを生成することができ、このレプリカを用いた復調での誤り率を低減して、良好な受信特性を得ることができる。
【図面の簡単な説明】
【００１６】
【図１】この発明の第１の実施形態に係る通信システムの概念図である。
【図２】本実施形態に係るマルチパス分割を示す概略図である。
【図３】本実施形態に係る送信装置の構成を示す概略ブロック図である。
【図４】本実施形態に係る受信装置の構成を示す概略ブロック図である。
【図５】本実施形態に係る受信信号を示す概略図である。
【図６】本実施形態に係るマルチパス分割後の信号を示す概略図である。
【図７】本実施形態に係るシミュレーション条件を示す図である。
【図８】本実施形態に係る計算機シミュレーション結果を示す概略図である。
【図９】この発明の第２の実施形態に係る受信装置の構成を示す概略ブロック図である。
【図１０】この発明の第３の実施形態に係る受信装置の構成を示す概略ブロック図である。
【発明を実施するための形態】
【００１７】
（第１の実施形態）
以下、図面を参照しながら本発明の第１の実施形態について詳しく説明する。図１は、この発明の第１の実施形態に係る通信システムの概念図である。
この図において、通信システムは、送信装置Ａ及び受信装置Ｂを具備する。この図は、送信装置Ａから送信された送信信号が、建物等の反射により、Ｄ＋１個の伝搬路（パスとも呼ぶ）ｄ（ｄ＝０、１、２、・・・、Ｄ）を介して受信装置Ｂに受信されることを示す。なお、ｄは短い伝搬路の順（伝搬路を介した信号の到達時間が早い順）に、昇順に番号付けされている（ｄを伝搬路番号と呼ぶ）。また、Ｄは最大の伝搬路番号を示し、例えばＤ＝３の場合に伝搬路は４個である。
受信装置Ｂは、遅延信号のレプリカを生成し、生成したレプリカを受信信号から除去することでマルチパスを分割（マルチパス分割という）する。
【００１８】
ここで、受信装置Ｂが行うマルチパス分割について説明をする。
図２は、本実施形態に係るマルチパス分割を示す概略図である。この図において、横軸は遅延時間を示し、縦軸は受信電力を示す。
この図において、符号Ｐｄを付した矢印は、伝搬路ｄを介しての受信した受信信号Ｐｄの受信電力を示す。また、この図は、受信装置Ｂがマルチパスを分割ブロック数ＮＢ個（ＮＢ＝２）のブロックＢｂ（ｂ＝０、・・・、ＮＢ−１）に分割することを示す（ｂをブロック番号、ブロックＢｂを第ｂブロックと呼ぶ）。この図は、受信信号Ｐ０、Ｐ１がブロックＢ０、また、受信信号Ｐ２、Ｐ３がブロックＢ１に含まれることを示す。
例えば、受信装置Ｂは、ブロックＢ１に含まれる受信信号Ｐ２、Ｐ３のレプリカを生成し、生成したレプリカを受信信号から除去することで、ブロックＢ０に含まれる受信信号Ｐ０、Ｐ１を抽出する。また、受信信号Ｐ０、Ｐ１のレプリカを生成し、上記処理をくり返すことにより受信信号Ｐ２、Ｐ３を抽出する。受信装置Ｂは、このように受信信号を分割するマルチパス分割を行う。
【００１９】
本実施形態では、受信装置Ｂは、受信品質を示す受信品質情報に基づいて、予め記憶する初回処理結果の復調信号とマルチパス分割を行った結果の復調信号とのいずれかを選択し、それに基づいて得られる誤り訂正復号結果のビット対数尤度比（ＬＬＲ：Ｌｏｇ  Ｌｉｋｅｌｉｈｏｏｄ  Ｒａｔｉｏ）から受信信号のレプリカを生成する。
以下、本実施形態では、送信装置Ａ及び受信装置Ｂを、それぞれ送信装置ａ１及び受信装置ｂ１と呼ぶ。
【００２０】
＜送信装置ａ１の構成について＞
図３は、本実施形態に係る送信装置ａ１の構成を示す概略ブロック図である。送信装置ａ１は、符号部ａ１０１、変調部ａ１０２、マッピング部ａ１０３、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）部ａ１０４、ＧＩ（Ｇｕａｒｄ  Ｉｎｔｅｒｖａｌ：ガードインターバル）挿入部ａ１０５、送信部ａ１０６、及び送信アンテナａ１０７を含んで構成される。
【００２１】
符号部ａ１０１は、入力された情報データに対して、畳込み符号やターボ符号などの誤り訂正符号化を行う。
変調部ａ１０２は、符号部ａ１０１が誤り訂正符号化を行った符号化ビットを、ＱＰＳＫ（Ｑｕａｄｒａｔｕｒｅ  Ｐｈａｓｅ  Ｓｈｉｆｔ  Ｋｅｙｉｎｇ；四位相偏移変調）やＱＡＭ（Ｑｕａｄｒａｔｕｒｅ  Ａｍｐｌｉｔｕｄｅ  Ｍｏｄｕｌａｔｉｏｎ；直交振幅変調）などの変調方式で変調し、変調シンボルを生成する。
マッピング部ａ１０３は、変調部ａ１０２が生成した変調シンボルと、送受信側で既知のパイロット信号と、をマッピング情報に基づいてマッピングする。なお、このマッピング情報は、信号の配置を示す情報であり、受信装置ｂ１に通知される。
ＩＦＦＴ部ａ１０４では、マッピング部ａ１０３がマッピングした周波数領域の信号に対して周波数時間変換を行う。
ＧＩ挿入部ａ１０５は、ＩＦＦＴ部ａ１０４が変換した時間領域の信号に対して、当該信号の後方の一部をコピーしたＧＩを、当該信号の前方に挿入する。
送信部ａ１０６は、ＧＩ挿入部ａ１０５がＧＩを挿入した時間領域の信号に対して、デジタルアナログ変換及び周波数変換を行う。送信部ａ１０６は、変換を行った送信信号を、送信アンテナａ１０７を介して送信する。
【００２２】
＜受信装置ｂ１の構成について＞
図４は、本実施形態における受信装置ｂ１の構成を示す概略ブロック図である。受信装置ｂ１は、受信アンテナｂ１０１、受信部ｂ１０２、伝搬路推定部ｂ１０３、雑音算出部ｂ１０４、分割するブロックＢｂ毎に設けられたNB個のマルチパス分割部ｂ１２−１〜ｂ１２−NB、合成部ｂ１０５、初回情報記憶部ｂ１０６、信号選択部ｂ１０７、デマッピング部ｂ１０８、復調部ｂ１０９、復号部ｂ１１０、シンボルレプリカ生成部ｂ１１１、マッピング部ｂ１１２、ＩＦＦＴ部ｂ１１３、及びＧＩ挿入部ｂ１１４を含んで構成される。ここで、マルチパス分割部ｂ１２−１〜ｂ１２−NBは、それぞれ、ブロックＢ０〜Ｂ（NB−１）に含まれる受信信号を抽出する。マルチパス分割部ｂ１２−１〜ｂ１２−NBは、それぞれ同様の構成及び機能を有するので、その一つ（マルチパス分割部ｂ１２−１）を代表して説明する。
マルチパス分割部ｂ１２−１は、他ブロックレプリカ生成部ｂ１２１、減算部ｂ１２２、ＧＩ除去部ｂ１２３、及びＦＦＴ（Ｆａｓｔ  Ｆｏｕｒｉｅｒ  Ｔｒａｎｓｆｏｒｍ：高速フーリエ変換）部ｂ１２４を含んで構成される。
【００２３】
受信部ｂ１０２は、送信装置ａ１が送信した送信信号を、受信アンテナｂ１０１を介して受信する。受信部ｂ１０２は、受信した信号に対して、周波数変換及びアナログ―デジタル変換を行う。受信部ｂ１０２は、変換を行った受信信号をマルチパス分割部ｂ１２−１〜ｂ１２−NB及び雑音算出部ｂ１０４に出力する。また、受信部ｂ１０２は、変換を行った信号のうち、パイロット信号を伝搬路推定部ｂ１０３に出力する。
伝搬路推定部ｂ１０３は、受信部ｂ１０２から入力されたパイロット信号及び予め記憶するパイロット信号の信号列（パイロット信号列という）を用いて、チャネルインパルス応答を推定する。ここで、チャネルインパルス応答とは、伝搬路ｄの伝搬路状況を示す値である複素振幅ｈｄから構成される、時間領域の伝搬路である。伝搬路推定部ｂ１０３は、チャネルインパルス応答推定値を他ブロックレプリカ生成部ｂ１２１及び雑音算出部ｂ１０４に出力する。また、伝搬路推定部ｂ１０３は、推定したチャネルインパルス応答推定値から周波数応答Ｈｎ（ｎはサブキャリアの番号）を算出する。伝搬路推定部ｂ１０３は、算出した周波数応答Ｈｎを、合成部ｂ１０５及び信号選択部ｂ１０７に出力する。
【００２４】
マルチパス分割部ｂ１２−１の他ブロックレプリカ生成部ｂ１２１は、ＧＩ挿入部ｂ１１４からの入力された信号及び伝搬路推定部ｂ１０３から入力されたチャネルインパルス応答推定値に基づいて、ブロックＢ０以外のブロックＢ１〜Ｂ（NＢ−１）の受信信号のレプリカを生成する。なお、マルチパス分割部ｂ１２−ｂの他ブロックレプリカ生成部では、ブロックＢ（ｂ−１）以外のブロックの受信信号のレプリカを生成する。なお、他ブロックレプリカ生成部ｂ１２１は、処理中の受信信号に対して復号部ｂ１０３にて1度も復号処理が行われていない初回処理では、ＧＩ挿入部ｂ１１４からの入力情報がなく、レプリカを生成しない。
【００２５】
マルチパス分割部ｂ１２−１の減算部ｂ１２２は、受信部ｂ１０２から入力された受信信号から、マルチパス分割部ｂ１２−１の他ブロックレプリカ生成部ｂ１２１が生成したレプリカを減算する。減算部ｂ１２２は、減算結果であるブロックＢ０の受信信号をＧＩ除去部ｂ１２３に出力する。
ＧＩ除去部ｂ１２３は、ブロックＢ０の受信信号からＧＩを除去する。
ＦＦＴ部ｂ１２４は、ＧＩ除去部ｂ１２３がＧＩを除去した時間領域の信号に対して時間周波数変換を行い、変換した周波数領域の信号を合成部ｂ１０５に出力する。
【００２６】
雑音算出部ｂ１０４は、初回処理の場合、伝搬路推定部ｂ１０３から入力された周波数応答推定値と予め記憶するパイロット信号列からパイロット信号のレプリカを生成する。雑音算出部ｂ１０４は、ＦＦＴ部ｂ１２４から入力された信号のうちのパイロット信号と、生成したパイロット信号のレプリカと、の差分Ｚｎを算出する。また、伝搬路推定部ｂ１０３は、雑音電力σｚ２＝Ｅ［｜Ｚｎ｜２］を算出する。ただし、Ｅ［Ｘ］はＸのアンサンブル平均を示し、｜Ｙ｜はＹの絶対値を示す。また、雑音算出部ｂ１０４は、初回処理の場合、受信部ｂ１０２から入力された信号を記憶する。
雑音算出部ｂ１０４は、２回目以降の処理の場合、送信信号レプリカにチャネルインパルス応答推定値を畳み込んだ信号と、ＧＩ挿入部ｂ１１４がＧＩを挿入したレプリカ信号と、の差分Ｚｎ，ｂ’を算出する。雑音算出部ｂ１０４は、雑音電力σ’ｚ２＝Ｅ［｜Ｚｎ，ｂ’｜２］を算出する。なお、この雑音電力σ’ｚ２には、後述する除去残差による誤差も含まれる。
雑音算出部ｂ１０４は、初回処理の場合に雑音電力σｚ２を合成部ｂ１０５に出力し、また、２回目以降の処理の場合に雑音電力σ’ｚ２を合成部ｂ１０５に出力する。
【００２７】
合成部ｂ１０５は、雑音算出部ｂ１０４から入力された雑音電力σｚ２又は雑音電力σ’ｚ２と伝搬路推定部ｂ１０３から入力された周波数応答Ｈｎとに基づいて、ＺＦ（Ｚｅｒｏ  Ｆｏｒｃｉｎｇ）基準、ＭＭＳＥ（Ｍｉｎｉｍｕｍ  Ｍｅａｎ  Ｓｑｕａｒｅ  Ｅｒｒｏｒ）基準等を用いたフィルタ係数ｗｎを算出する。
合成部ｂ１０５は、算出したフィルタ係数ｗｎを用いて、マルチパス分割部ｂ１２−１〜ｂ１２−NBのＦＦＴ部ｂ１２４から入力された信号の振幅と位相の変動の補償（伝搬路補償という）を行い、さらに、伝搬路補償を行った信号を合成する。例えば、合成部ｂ１０５は、伝搬路補償を行った信号を合成した信号（合成信号と呼ぶ）を出力する。
合成部ｂ１０５は、合成信号を信号選択部ｂ１０７、雑音電力σ’ｚ２、及び周波数応答Ｈｎを信号選択部ｂ１０７に出力する。なお、初回処理の場合、合成部ｂ１０５は、各ブロックの信号の合成は行わずに、伝搬路補償した信号（初回信号と呼ぶ）、雑音電力σｚ２、及び周波数応答Ｈｎを初回情報記憶部ｂ１０６に記憶させる。すなわち、合成部ｂ１０５は、受信信号を初回信号として初回情報記憶部ｂ１０６に記憶し、入力された信号から合成信号を生成する。
【００２８】
信号選択部ｂ１０７は、合成部ｂ１０５から入力された雑音電力σ’ｚ２、及び周波数応答Ｈｎに基づいて、合成部ｂ１０５から入力された合成信号のＳＮＲ（Ｓｉｇｎａｌ  ｔｏ  Ｎｏｉｓｅ  Ｐｏｗｅｒ Ｒａｔｉｏ；信号対雑音電力比）をサブキャリア毎に算出する。また、信号選択部ｂ１０７は、初回情報記憶部ｂ１０６が記憶する雑音電力σｚ２、及び周波数応答Ｈｎに基づいて、初回信号のＳＮＲを算出する。
信号選択部ｂ１０７は、サブキャリア毎に算出したＳＮＲ（受信品質情報）を比較した結果、ＳＮＲが大きい方、つまり、受信品質の良好な方の信号を選択し、選択した信号をデマッピングｂ１０８に出力する。この信号選択処理の詳細については、後述する。なお、初回処理の場合、信号選択部ｂ１０７は、初回信号をデマッピングｂ１０８に出力する。すなわち、信号選択部ｂ１０７は、初回信号及び合成信号のＳＮＲを算出し、初回信号又は合成信号のうち、算出した受信品質情報が受信品質が高いことを示す信号を選択する。
デマッピングｂ１０８は、送信装置ａ１から通知されたマッピング情報に基づいて、信号選択部ｂ１０７から入力された信号をデマッピングする。
復調部ｂ１０９は、デマッピングｂ１０８がデマッピングした信号に対して、復調処理を行う。復調部ｂ１０９は、復調処理の結果のビット対数尤度比を復号部ｂ１１０に出力する。
【００２９】
復号部ｂ１１０は、復調部ｂ１０９から入力されたビット対数尤度比に対して、例えば、最尤復号法（ＭＬＤ；  Ｍａｘｉｍｕｍ  Ｌｉｋｅｌｉｈｏｏｄ  Ｄｅｃｏｄｉｎｇ）、最大事後確率推定（ＭＡＰ；  Ｍａｘｉｍｕｍ  Ａ  ｐｏｓｔｅｒｉｏｒｉ  Ｐｒｏｂａｂｉｌｉｔｙ）、ｌｏｇ−ＭＡＰ、Ｍａｘ−ｌｏｇ−ＭＡＰ、ＳＯＶＡ（Ｓｏｆｔ  Ｏｕｔｐｕｔ  Ｖｉｔｅｒｂｉ  Ａｌｇｏｒｉｔｈｍ）等を用いて、復号処理を行う。
この復号処理の結果、誤りが検出されなかったと判定した場合、復号部ｂ１１０は、復号結果の情報データビットを出力する。一方、誤りが検出されたと判定した場合、復号部ｂ１１０は、ビット対数尤度比をシンボルレプリカ生成部ｂ１１１に出力する。
【００３０】
シンボルレプリカ生成部ｂ１１１は、復号部ｂ１１０から入力されたビット対数尤度比から、変調シンボルの期待値（シンボルレプリカという）を算出する。
マッピング部ｂ１１２は、シンボルレプリカ生成部ｂ１１１が算出したシンボルレプリカを、送信装置ａ１から通知されたマッピング情報に基づいてマッピングする。
ＩＦＦＴ部ｂ１１３は、シンボルレプリカ生成部ｂ１１１が算出したシンボルレプリカに対して周波数時間変換を行う。
ＧＩ挿入部ｂ１１４は、ＩＦＦＴ部ｂ１１３が変換した信号に対して、当該信号の後方の一部をコピーしたＧＩを、当該信号の前方に挿入する。ＧＩ挿入部ｂ１１４は、ＧＩを挿入した信号を他ブロックレプリカ生成部ｂ１２１に出力する。
【００３１】
＜信号選択処理について＞
以下、信号選択部ｂ１０７が行う信号選択処理について詳細を説明する。なお、信号選択部ｂ１０７は、この信号選択処理をサブキャリア毎に行う。
信号選択部ｂ１０７は、初回信号のＳＮＲ（ＳＮＲ０という）が合成信号のＳＮＲ（ＳＮＲＭＤ−ＴＥという）より大きい場合、初回信号をデマッピングｂ１０８に出力する。一方、ＳＮＲ０がＳＮＲＭＤ−ＴＥ以下である場合、合成信号をデマッピングｂ１０８に出力する。
ここで、ＳＮＲ０とＳＮＲＭＤ−ＴＥは、それぞれ、以下の式（１）、（２）で表される。
【００３２】
【数１】
2010278850.tif 000003
【００３３】
【数２】
2010278850.tif 000004
【００３４】
ただし、「＊」は複素共役の記号を示し、例えば、Ｈｎ＊はＨｎの複素共役を示す。また、「Ｈ」は複素共役転置を示し、例えば、ｃｎＨはｃｎの複素共役転置を表す。以下、式（１）、（２）の導出方法を説明し、式（１）、（２）における各変数について説明をする。
【００３５】
まず、ＳＮＲ０の導出方法について説明をする。
受信部ｂ１０２が受信した受信信号は、以下の式（３）で表される。
【００３６】
【数３】
2010278850.tif 000005
【００３７】
ここで、ｋは時間領域での離散時刻の番号を示し、ｓｋおよびｚｋはそれぞれ時間領域の送信信号および雑音である。また、Ｎｆ、Ｎｇ、Ｓｎ、ｈｄ、Ｄは、それぞれ、ＦＦＴ区間のポイント数、ＧＩ長のポイント数、第ｎサブキャリアの変調シンボル、第ｄパスの複素振幅、最大の伝搬路番号を示す。
【００３８】
図５は、本実施形態に係る受信信号を示す概略図である。この図において、横軸は時間軸を示す。また、この図は、Ｄ＝３つまり４パス到来するときの受信信号を示し（図１、２参照）、上から順に伝搬路０、１、２、３を介して受信した受信信号（伝搬路ｄを介して受信した受信信号を受信信号ｄという）を示す。
この図において、時間軸は離散時刻ｋで表され、受信信号０の受信開始時がｋ＝０としている。この図は、ＦＦＴ区間は、ｋ＝Ｎｇからｋ＝Ｎｇ＋Ｎｆ−１であることを示す。なお、この図は、受信が最も早い受信信号０の受信時刻と、最も遅い受信信号Ｄ（Ｄ＝３）の受信時刻と、の差分（遅延時間と呼ぶ）がＧＩの長さを超えないことを示す。この場合、どの受信信号についても所望シンボルの周期性が保たれ、ＦＦＴを行うことで各サブキャリアの信号を干渉無く再生することができる。
【００３９】
式（３）で示す受信信号に対して、ＦＦＴ部ｂ１２４にてＦＦＴ区間（ｋ＝Ｎｇからｋ＝Ｎｇ＋Ｎｆ−１）でＦＦＴを行うと、ＦＦＴ後の第ｎサブキャリアの信号は以下の式（４）で表される。
【００４０】
【数４】
2010278850.tif 000006
【００４１】
ここで、Ｈｎ及びＺｎは、それぞれ、第ｎサブキャリアにおける周波数応答及び雑音である。なお、この式（４）は、通信方式がＯＦＤＭである場合、Ｈｎがｎによって変動することを示し、誤り訂正符号でビットの情報を複数のサブキャリアに拡散することで、周波数ダイバーシチを得ることができることを示す。
式（４）が示す信号に対して、合成部ｂ１０５にてＭＭＳＥ基準を用いて伝搬路補償及び合成を行った第ｎサブキャリアの変調シンボルは、以下の式（５）で表される。
【００４２】
【数５】
2010278850.tif 000007
【００４３】
ここで、σｚ２は雑音電力を示し、Ｈｎは第ｎサブキャリアにおける周波数応答を示す。式（５）は、式（４）を用いて、以下の式（６）で表される。
【００４４】
【数６】
2010278850.tif 000008
【００４５】
式（６）において第１、２項がそれぞれ信号および雑音を表すので、ＳＮＲ０は以下の式（７）で表される。
【００４６】
【数７】
2010278850.tif 000009
【００４７】
ここで、σｚ２は雑音電力を示し、Ｈｎは第ｎサブキャリアにおける周波数応答を示す。なお、受信装置ｂ１は信号電力を１に正規化しており、式（７）はその場合のＳＮＲ０を示す。信号選択部ｂ１０６は、初回情報記憶部ｂ１０６が記憶する雑音電力σｚ２及び周波数応答Ｈｎを用いて、式（７）により初回信号のＳＮＲ０を算出する。
【００４８】
次に、ＳＮＲＭＤ−ＴＥの導出方法について説明をする。
ブロックＢｂの受信信号は、以下の式（８）で表される。
【００４９】
【数８】
2010278850.tif 000010
【００５０】
ここで、ｓ’ｋはＧＩ挿入部ｂ１１４から出力された送信信号レプリカを示す。また、集合ＱｂはブロックＢｂに含まれる受信信号の伝搬路番号の集合を示し、例えば、図２の一例では、Ｑ０＝｛０、１｝、Ｑ１＝｛２、３｝である。また、式（８）中のΣは、集合Ｑｂについて和を取ることを示す。また、ｚ’ｋ，ｂは、ブロックＢｂの雑音と誤差の和を示す。
【００５１】
式（８）で示す受信信号に対して、ＦＦＴ部ｂ１２４にてＦＦＴを行うと、ＦＦＴ後のブロックＢｂにおける第ｎサブキャリアの信号は以下の式（９）で表される。
【００５２】
【数９】
2010278850.tif 000011
【００５３】
ここで、Ｈｎ，ｂはブロックＢｂにおける第ｎサブキャリアの周波数応答を示し、Ｚ’ｎ，ｂはＦＦＴ後のｚ’ｋ，ｂを示す。式（９）は、以下の式（１０）で表される。
【００５４】
【数１０】
2010278850.tif 000012
【００５５】
ただし、ベクトルｙｎ、ｃｎ、ｚ’ｎは、以下の式で表される。
【００５６】
【数１１】
2010278850.tif 000013
【００５７】
ここで、ＮＢは分割ブロック数を示し、「Ｔ」は転置の記号を示す。
式（１０）が示す信号に対して、合成部ｂ１０５にてＭＭＳＥ基準を用いて伝搬路補償及び合成を行った第ｎサブキャリアの変調シンボルは、以下の式（１２）で表される。
【００５８】
【数１２】
2010278850.tif 000014
【００５９】
ここで、ベクトルｗｎはフィルタ係数ベクトルを示し、σ’ｚ２は雑音電力を示す。具体的には、雑音算出部ｂ１０４にて以下の式（１３）が示す信号が算出される。σ’ｚ２は、この信号の電力平均により、アンサンブル平均として算出される。また、各ブロックＢｂにおける雑音電力の和はそれぞれ独立したものとみなすことができ、式（１２）はこのことを用いて導出される。
【００６０】
【数１３】
2010278850.tif 000015
【００６１】
式（１３）が示す信号は、式（３）が示す受信信号ｒｋと、送信信号レプリカｓ’ ｄに対して伝搬路補償を行った後の信号Σｈｄｓ’ｋ−ｄ（つまり、受信信号レプリカ）と、の差分を示す。
式（１２）は、初回処理とは異なり、ブロック毎に伝搬路補償を行った合成しているため、パスダイバーシチを得られることを示す。特に、全パス分のマルチパス分割を行った場合、完全なパスダイバーシチを得ることができる。
【００６２】
式（７）の場合と同様にして、ＳＮＲＭＤ−ＴＥは以下の式（１４）で表される。
【００６３】
【数１４】
2010278850.tif 000016
【００６４】
ここで、σ’ｚ２は雑音電力を示し、ベクトルｃｎは式（１１）のベクトルｃｎを示す。信号選択部ｂ１０６は、合成部ｂ１０５から入力された雑音電力σ’ｚ２及び周波数応答Ｈｎを用いて、式（１４）により合成信号のＳＮＲＭＤ−ＴＥを算出する。
【００６５】
以下、雑音電力σ’ｚ２について説明をする。
図６は、マルチパス分割後の信号を示す概略図である。この図において、横軸は時間軸である。また、この図は、図２に示すマルチパス分割を行った場合の図を示す。図６において、信号Ｐ１’〜Ｐ４’は、それぞれ、図２中の受信信号Ｐ１〜Ｐ４に対応する。
図６は、送信信号レプリカに誤差が存在し、ブロックＢ０内に信号Ｐ３’、Ｐ４’の除去残差が残っていることを示す。また、この図は、ブロックＢ１内に信号Ｐ１’、Ｐ２’の除去残差が残っていることを示す。
また、図６は、ブロックＢｂ（ｂ＝０、１）に含まれる受信信号が多いほど、つまり、分割するブロックＢｂの時間幅が長いほど、除去残差が大きくなることを示す。よって、分割するブロックＢｂの時間幅が長いほど、雑音電力σ’ｚ２が大きくなる。
【００６６】
したがって、初回処理で受信品質が高いサブキャリアの受信信号が、ブロックＢｂの時間幅が長いマルチパス分割を行った結果、除去残差によって雑音電力が増大し、誤り率が大きくなる場合がある。
本実施形態によれば、受信装置ｂ１は、ＳＮＲに基づいて、初回情報記憶部ｂ１０６が記憶する初回信号、又は合成信号のいずれかを、サブキャリア毎に選択し、選択した信号を復調して変調シンボルを抽出する。これにより、受信装置ｂ１は、前記合成信号の受信品質が低く除去残差が大きくなる場合、当該合成信号より受信品質が高い初回信号を復調した変調シンボルを用いて、精度が高いレプリカを生成することができ、このレプリカを用いた復調での誤り率を低減して、良好な受信特性を得ることができる。
【００６７】
＜実験例＞
以下、本発明の有効性を示すために行った計算機シミュレーション結果を示す。
図７は、本実施形態に係るシミュレーション条件を示す図である。
図８は、本実施形態に係る計算機シミュレーション結果を示す概略図である。この図は、平均パケット誤り率（ＰＥＲ）特性を示す。この図において、横軸は信号電力（平均Ｅｓ／Ｎ０）を示す。
図８において、特性１、特性２、及び特性３は、それぞれ、初回処理のみの特性、信号選択処理を行わない場合（従来技術）の特性、及び信号選択処理を行う場合（本実施形態）の特性を示す。図８は、図７に示すシミュレーション条件では、特性１と特性２とがほとんど特性は変わらないが、特性１又は特性２と比較して、特性３は誤り率が大きく改善していることを示す。例えば、特性３は特性１、２と比較して、平均ＰＥＲが１０−２となる信号電力がそれぞれ０．６ｄＢ、０．５ｄＢ改善している。
このように、本実施形態では、信号選択処理によって誤り率が大きく改善する。
【００６８】
また、上記第１の実施形態では、受信装置ｂ１は、合成部ｂ１０５にて信号の伝搬路補償処理及び信号の合成処理を行った後、信号選択部ｂ１０７にて信号選択処理を行う場合について説明をした。しかし、本発明はこれに限らず、信号選択部ｂ１０７が合成部ｂ１０５の前に設けられ、合成部ｂ１０５の処理の前に信号選択処理を行ってもよい。この場合、初回信号が選択され、伝搬路補償を行う必要がない信号に対して、合成部ｂ１０５にて伝搬路補償処理を行わない構成となり、伝搬路補償処理の処理量を低減させることができる。
【００６９】
なお、上記第１の実施形態では、各ブロックＢｂのＦＦＴ区間を同一としていたが、異なっていてもよい。周期性が満たされる範囲でＦＦＴ区間をずらすことで、信号の合成区間が延びることになり、雑音の影響を低減できて伝送特性を改善させることができる。
【００７０】
（第２の実施形態）
以下、図面を参照しながら本発明の第２の実施形態について詳しく説明する。本実施形態では、ＳＮＲの算出方法が第１の実施形態と異なる。
本実施形態に係る通信システムの概念図は、第１の実施形態（図１）と同じである。以下、本実施形態では、受信装置Ｂを受信装置ｂ２と呼ぶ。なお、送信装置Ａは、第１の実施形態に係る送信装置ａ１と同じ構成及び機能を持つため、説明は省略する。
【００７１】
図９は、この発明の第２の実施形態に係る受信装置ｂ２の構成を示す概略ブロック図である。本実施形態に係る受信装置ｂ２（図９）と第１の実施形態に係る受信装置ｂ１（図４）とを比較すると、信号選択部ｂ２０７が異なる。しかし、他の構成要素（受信アンテナｂ１０１、受信部ｂ１０２、伝搬路推定部ｂ１０３、雑音算出部ｂ１０４、マルチパス分割部ｂ１２−１〜ｂ１２−NB、合成部ｂ１０５、初回情報記憶部ｂ１０６、デマッピング部ｂ１０８、復調部ｂ１０９、復号部ｂ１１０、シンボルレプリカ生成部ｂ１１１、マッピング部ｂ１１２、ＩＦＦＴ部ｂ１１３、ＧＩ挿入部ｂ１１４、並びに、マルチパス分割部ｂ１２−１内の他ブロックレプリカ生成部ｂ１２１、減算部ｂ１２２、ＧＩ除去部ｂ１２３、及びＦＦＴ部ｂ１２４）が持つ機能は第１の実施形態と同じである。第１の実施形態と同じ機能の説明は省略する。
【００７２】
＜信号選択処理について＞
以下、信号選択部ｂ２０７が行う信号選択処理について詳細を説明する。本実施形態に係る信号選択部ｂ２０７と第１の実施形態に係る信号選択部ｂ１０７とを比較すると、ＳＮＲＭＤ−ＴＥの算出方法が異なる。
本実施形態では、ＳＮＲＭＤ−ＴＥは、以下の式（１５）で表される。
【００７３】
【数１５】
2010278850.tif 000017
【００７４】
ここで、Ｉは単位行列を示す。以下、式（１５）の導出方法を説明し、式（１５）における各変数について説明をする。式（１１）のベクトルｙｎは、以下の式（１６）で表される。
【００７５】
【数１６】
2010278850.tif 000018
【００７６】
ここで、Ｓｎ及びＳ’ｎは、それぞれ、第ｎサブキャリアの変調シンボル、及びその期待値（シンボルレプリカ）を示す。また、ベクトルｃｎは、式（１１）のベクトルｃｎを示す。また、ベクトルｚｎは、式（４）中の全ての要素が雑音Ｚｎであるベクトルである。また、ベクトルｃ／ｎは、以下の式（１７）で表される。
【００７７】
【数１７】
2010278850.tif 000019
【００７８】
ここで、この式中のΣは、集合Ｑｂ以外の受信信号の伝搬路番号について和を取ることを示す。
式（１６）と式（１０）とを比較すると、式（１６）中の第２、３項が異なる。式（１６）は、ＦＦＴ後のブロックＢｂにおける第ｎサブキャリアの信号を、変調シンボルと変調シンボルの期待値との差（Ｓｎ−Ｓ’ｎ）の項、つまり除去残差に対応する第２項と、雑音を示す第３項と、を用いているが、式（１０）では、除去残差と雑音を合わせて雑音近似している。
式（１６）が示す信号に対して、合成部ｂ１０５にてＭＭＳＥ基準を用いて伝搬路補償及び合成を行った第ｎサブキャリアの変調シンボルは、以下の式（１８）で表される。
【００７９】
【数１８】
2010278850.tif 000020
【００８０】
ここで、σＩ２は（Ｓｎ−Ｓ’ｎ）の電力を示し、例えば以下の式（１９）で算出される。
【００８１】
【数１９】
2010278850.tif 000021
【００８２】
式（７）の場合と同様にして、ＳＮＲＭＤ−ＴＥは以下の式（２０）で表される。
【００８３】
【数２０】
2010278850.tif 000022
【００８４】
ここで、σＩ２は式（１９）のσＩ２を示し、σｚ２は雑音電力を示す。また、ベクトルｃｎ及びｃ／ｎは、それぞれ、式（１１）のベクトルｃｎ、式（１７）のベクトルｃ／ｎを示す。信号選択部ｂ１０６は、合成部ｂ１０５から入力された雑音電力σ’ｚ２及び周波数応答Ｈｎを用いて、式（１４）により合成部ｂ１０５から入力された信号のＳＮＲＭＤ−ＴＥを算出する。
【００８５】
このように、本実施形態によれば、受信装置ｂ１は、ＳＮＲに基づいて、初回情報記憶部ｂ１０６が記憶する初回信号、又は合成信号のいずれかを、サブキャリア毎に選択し、選択した信号を復調して変調シンボルを抽出する。これにより、受信装置ｂ１は、前記合成信号の受信品質が低く除去残差が大きくなる場合、当該合成信号より受信品質が高い初回信号を復調した変調シンボルを用いて、精度が高いレプリカを生成することができ、このレプリカを用いた復調での誤り率を低減して、良好な受信特性を得ることができる。
【００８６】
なお、本実施形態では、真値と送信信号レプリカとの差を雑音近似しているが、変調シンボルの期待値を瞬時値として用いてもよい。この場合、ＭＭＳＥ基準の重み係数ベクトルを算出する際に、Ｅ［Ｓｎ］＝Ｓ’ｎであることを利用し、復調後の第ｎサブキャリアの符号化ビットは、以下の式（２１）で表される。
【００８７】
【数２１】
2010278850.tif 000023
【００８８】
なお、変調シンボルの期待値の瞬時値ではなく、時間方向や周波数方向で平均を取った値でもよい。
【００８９】
（第３の実施形態）
以下、図面を参照しながら本発明の第３の実施形態について詳しく説明する。第１、２の実施形態では、受信装置ｂ１〜ｂ３がマルチパスをある分割ブロック数ＮＢ個のブロックＢｂに分割し、信号選択処理を行う場合について説明をした。本実施形態では、受信装置が受信信号に対して、複数種類のマルチパス分割（例えば、分割ブロック数ＮＢ１の分割、分割ブロック数ＮＢ２の分割、・・・、分割ブロック数ＮＢＭの分割）を行う。受信装置は、各マルチパス分割においてＳＮＲを算出し、算出したＳＮＲが最も大きい信号を選択して復調及び復号を行う。
【００９０】
本実施形態に係る通信システムの概念図は、第１の実施形態（図１）と同じである。以下、本実施形態では、受信装置Ｂを受信装置ｂ３と呼ぶ。なお、送信装置Ａは、第１の実施形態に係る送信装置ａ１と同じ構成及び機能を持つため、説明は省略する。
【００９１】
図１０は、この発明の第３の実施形態に係る受信装置ｂ３の構成を示す概略ブロック図である。本実施形態に係る受信装置ｂ３（図１０）と第１の実施形態に係る受信装置ｂ１（図４）とを比較すると、Ｌ個のマルチパス分割部ｂ３２−１〜ｂ３２−Ｌ、合成部ｂ３０５、信号選択部ｂ３０７が異なる。しかし、他の構成要素（受信アンテナｂ１０１、受信部ｂ１０２、伝搬路推定部ｂ１０３、雑音算出部ｂ１０４、初回情報記憶部ｂ１０６、デマッピング部ｂ１０８、復調部ｂ１０９、復号部ｂ１１０、シンボルレプリカ生成部ｂ１１１、マッピング部ｂ１１２、ＩＦＦＴ部ｂ１１３、及びＧＩ挿入部ｂ１１４）が持つ機能は第１の実施形態と同じである。
また、マルチパス分割部ｂ３２−１〜ｂ３２−Ｌは、分割ブロック数ＮＢ１のマルチパス分割を行うマルチパス分割部ｂ３２−１〜ｂ３２−NB１、分割ブロック数ＮＢ２のマルチパス分割を行うマルチパス分割部ｂ３２−１〜ｂ３２−NB２、・・・、及び分割ブロック数ＮＢＭのマルチパス分割を行うマルチパス分割部ｂ３２−１〜ｂ３２−NBＭから構成される。つまり、Ｌ＝NB１＋NB２＋・・・NBＭである。マルチパス分割部ｂ３２−１〜ｂ３２−Ｌ各々が持つ機能は、第１の実施形態に係るマルチパス分割部ｂ１２−１内の他ブロックレプリカ生成部ｂ１２１、減算部ｂ１２２、ＧＩ除去部ｂ１２３、及びＦＦＴ部ｂ１２４と同じである。
第１の実施形態と同じ機能の説明は省略する。
【００９２】
合成部ｂ３０５は、伝搬路補償を行った信号を、マルチパス分割の種類毎に合成する。なお、合成部ｂ３０５は、合成処理以外の機能について、合成部ｂ１０５と同じ機能を有する。
【００９３】
信号選択部ｂ３０７は、マルチパス分割の種類毎に、式（１）、（２）を用いてＳＮＲ０及びＳＮＲＭＤ−ＴＥを算出する。信号選択部ｂ３０７は、全てのマルチパス分割の種類のＳＮＲ０及びＳＮＲＭＤ−ＴＥを比較した結果、ＳＮＲが最も大きい信号を選択し、選択した信号をデマッピングｂ１０８に出力する。なお、合成部ｂ３０５は、信号選択処理以外の機能について、合成部ｂ１０５と同じ機能を有する。
【００９４】
式（２）が示すように、ＳＮＲＭＤ−ＴＥは、マルチパス分割の種類によって異なる値となる。
本実施形態によれば、受信装置ｂ３は、受信品質が高い分割の種類についての合成信号を復調した変調シンボルを用いて、精度が高いレプリカを生成することができ、１種類の分割で合成信号を選択する場合と比較して、さらに、誤り率を低減して、良好な受信特性を得ることができる。
【００９５】
なお、上記各実施形態において、受信装置ｂ１〜ｂ３は、サブキャリア毎に、信号選択処理を行う場合について説明をしたが、本発明はこれに限らず、複数のサブキャリア毎に信号選択処理を行ってもよい。例えば、受信装置ｂ１は、マルチパス分割したブロックＢｂ毎に、ＳＮＲ０の平均値とＳＮＲＭＤ−ＴＥの平均値とを算出し、算出したＳＮＲの平均値を比較した結果、ＳＮＲが大きい方の信号を選択し、選択した信号をデマッピングｂ１０８に出力してもよい。
【００９６】
また、上記各実施形態において、信号選択部ｂ１０７は、ＧＩを超える遅延パスを考慮した信号選択を行ってもよい。このことは、繰り返し処理には影響しないが、初回処理に影響する。
この場合の初回処理のＳＮＲ０は以下の式（７）で表されるが、干渉が加わる分、雑音電力σｚ２の値が増加する。この場合、例えばパイロット信号を使って干渉電力を算出する。具体的には、パイロット信号は送受信側で既知であるので、受信したパイロット信号から、パイロット信号とチャネルインパルス応答推定値から生成した所望シンボルのレプリカを減算することで干渉電力を推定する。また、例えば、チャネルインパルス応答推定値から干渉電力を推定してもよい。具体的には、チャネルインパルス応答のうち、各パスの複素振幅およびＧＩを超える時間から干渉となる電力を求める。
なお、以上の説明では、初回処理の第ｎサブキャリアの変調シンボルが式（５）で表わされる場合について説明したが、干渉が含まれることを考慮して、サブキャリア単位ではなく、有効サブキャリア全てで処理を行ってもよい。
また、受信装置Ｂは、ＧＩを超える遅延が生じた場合に上記のＧＩを超える遅延パスを考慮した信号選択を行い、ＧＩを超える遅延が生じない場合に第１の実施形態の信号選択を行うように処理を切り替えてもよい。
【００９７】
また、上記第３の実施形態において、ＳＮＲＭＤ−ＴＥを第２の実施形態に係る算出方法（式（１５））によって算出してもよい。
【００９８】
なお、上述した実施形態における受信装置ｂ１〜ｂ３の一部、例えば、受信部ｂ１０２、伝搬路推定部ｂ１０３、雑音算出部ｂ１０４、ｂ３０４、マルチパス分割部ｂ１２−１〜ｂ１２−NB、ｂ３２−１〜ｂ３２−Ｌ、合成部ｂ１０５、ｂ３０５、信号選択部ｂ１０７、ｂ２０７、ｂ３０７、デマッピング部ｂ１０８、復調部ｂ１０９、復号部ｂ１１０、シンボルレプリカ生成部ｂ１１１、マッピング部ｂ１１２、ＩＦＦＴ部ｂ１１３、ＧＩ挿入部ｂ１１４、他ブロックレプリカ生成部ｂ１２１、減算部ｂ１２２、ＧＩ除去部ｂ１２３、及びＦＦＴ部ｂ１２４をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、受信装置ｂ１〜ｂ３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１００】
Ａ、ａ１・・・送信装置、Ｂ、ｂ１〜ｂ３・・・受信装置、ａ１０１・・・符号部、ａ１０２・・・変調部、ａ１０３・・・マッピング部、ａ１０４・・・ＩＦＦＴ部、ａ１０５・・・ＧＩ挿入部、ａ１０６・・・送信部、ａ１０７・・・送信アンテナ、ｂ１０１・・・受信アンテナ、ｂ１０２・・・受信部、ｂ１０３・・・伝搬路推定部、ｂ１０４・・・雑音算出部、ｂ１２−１〜ｂ１２−NB、ｂ３２−１〜ｂ３２−Ｌ・・・マルチパス分割部、ｂ１０５、ｂ３０５・・・合成部、ｂ１０６・・・初回情報記憶部、ｂ１０７、ｂ２０７、ｂ３０７・・・信号選択部、ｂ１０８・・・デマッピング部、ｂ１０９・・・復調部、ｂ１１０・・・復号部、ｂ１１１・・・シンボルレプリカ生成部、ｂ１１２・・・マッピング部、ｂ１１３・・・ＩＦＦＴ部、ｂ１１４・・・ＧＩ挿入部、ｂ１２１・・・他ブロックレプリカ生成部、ｂ１２２・・・減算部、ｂ１２３・・・ＧＩ除去部、ｂ１２４・・・ＦＦＴ部
【図１】
2010278850.tif 000024
【図２】
2010278850.tif 000025
【図３】
2010278850.tif 000026
【図４】
2010278850.tif 000027
【図５】
2010278850.tif 000028
【図６】
2010278850.tif 000029
【図７】
2010278850.tif 000030
【図８】
2010278850.tif 000031
【図９】
2010278850.tif 000032
【図１０】
2010278850.tif 000033